(57)【要約】  インダクタデバイスは複数のインダクタコイル（８ａ）を有し、これらは共通の磁心（１０）の周囲に配置され、相互に平行に、インダクタコイル（８ａ）の一方の端において共通の連結部（１３ａ）に導電的に接続される。インダクタコイル（８ａ）は、共通の磁心（１０ａ）の周囲に配置された、インダクタコイル（８ａ）の共通の連結部（１３）を含む単体のコイルフォーム（１５）によって実現される。インダクタコイル（８ａ）は、その共通の連結部（１３ａ）および共通の磁心（１０ａ）の周囲に巻かれる。
2015527034.tif 000002
【特許請求の範囲】
【請求項１】
複数の第一のインダクタコイル（８ａ、９ａ）を含み、複数の第一のインダクタコイル（８ａ、９ａ）が、第一の共通の磁心（１０ａ）の周囲に配置され、相互に平行に、前記第一のインダクタコイル（８ａ、９ａ）の一方の端において第一の共通の連結部（１３ａ）に導電的に接続されるインダクタデバイスにおいて、
前記第一のインダクタコイル（８ａ、９ａ）が、前記第一の共通の磁心（１０ａ）の周囲に配置された、前記第一のインダクタコイル（８ａ、９ａ）の前記第一の共通の連結部（１３ａ）を含む単体のコイルフォーム（１５ａ）によって実現され、前記第一のインダクタコイル（８ａ、９ａ）が、その前記第一の共通の連結部（１３ａ）および前記第一の共通の磁心（１０ａ）の周囲に巻かれることを特徴とするインダクタデバイス。
【請求項２】
複数の第二のインダクタコイル（８ｂ、９ｂ）が提供され、これらが第二の共通の磁心（１０ｂ）の周囲に配置され、相互に平行に、前記第二のインダクタコイル（８ｂ、９ｂ）の一方の端において第二の共通の連結部（１３ｂ）に導電的に接続され、前記第二のインダクタコイル（８ｂ、９ｂ）が、前記第二の共通の磁心（１０ｂ）の周囲に配置された、前記第二のインダクタコイル（８ｂ、９ｂ）の前記第二の共通の連結部（１３ｂ）を含む単体のコイルフォーム（１５ｂ）によって実現され、前記第二のインダクタコイル（８ｂ、９ｂ）が、その前記第二の共通の連結部（１３ｂ）および前記第二の共通の磁心（１０ｂ）の周囲に巻かれることを特徴とする、請求項１に記載のインダクタデバイス。
【請求項３】
複数の第三のインダクタコイル（８ｃ、９ｃ）が提供され、これらが第三の共通の磁心（１０ｃ）の周囲に配置され、相互に平行に、前記第三のインダクタコイル（８ｃ、９ｃ）の一方の端において第三の共通の連結部（１３ｃ）に導電的に接続され、前記第三のインダクタコイル（８ｃ、９ｃ）が、前記第三の共通の磁心（１０ｃ）の周囲に配置された、前記第三のインダクタコイル（８ｃ、９ｃ）の前記第三の共通の連結部（１３ｃ）を含む単体のコイルフォーム（１５ｃ）によって実現され、前記第三のインダクタコイル（８ｃ、９ｃ）が、その前記第三の共通の連結部（１３ｃ）および前記第三の共通の磁心（１０ｃ）の周囲に巻かれることを特徴とする、請求項２に記載のインダクタデバイス。
【請求項４】
各々、それらの端の一方において共通の連結部（１３）に導電的に接続された複数のインダクタコイル（８、９）がその上に一緒に配置されている複数の磁心（１０ａ、１０ｂ、１０ｃ）が電磁結合されていることを特徴とする、請求項２または３に記載のインダクタデバイス。
【請求項５】
前記複数の磁心（１０ａ、１０ｂ、１０ｃ）が共通の磁性本体（１２）の平行な腕部（１１ａ、１１ｂ、１１ｃ）であることを特徴とする、請求項４に記載のインダクタデバイス。
【請求項６】
各コイルフォーム（１５）が、相互に平行に延び、前記インダクタコイル（８、９）を実現する金属条材（１６）と、前記平行な金属条材を横切るように延び、前記共通の連結部（１３）を実現する金属条材（１８）と、を含むことを特徴とする、請求項１〜５のいずれか１項に記載のインダクタデバイス。
【請求項７】
各コイルフォーム（１５）がスロット入り金属シート（１９）として作製されることを特徴とする、請求項６に記載のインダクタデバイス。
【請求項８】
前記インダクタコイル（８、９）が各々、前記磁心（１０）の周囲に螺旋形状に巻かれることを特徴とする、請求項１〜７のいずれか１項に記載のインダクタデバイス。
【請求項９】
電流を少なくとも１つのＤＣ供給源からＡＣグリッド（２）に供給できるようにする装置（１）において、
−前記装置が、並列に電気接続された複数のインバータ（４、５）と、前記ＡＣグリッド（２）の各位相につき１つの位相接続部（３）とを含み、
−前記インバータ（４、５）の各々が、前記ＡＣグリッド（２）の各位相のための出力（６、７）を含み、この出力が同じ位相のための前記位相接続部（３）に、インダクタコイル（８、９）を有するインダクタを介して導電的に接続され、
−それを介して前記インバータ（４、５）の、同じ位相のための前記出力（６，７）がこの位相のための前記位相接続部（３）に接続される前記インダクタの前記インダクタコイル（８，９）のすべてが、請求項１〜８のいずれか１項に記載のインダクタデバイスのインダクタコイル（８、９）であり、このインダクタコイルが共通の磁心（１０）の周囲に配置され、それらの端の一方において、共通の連結部（１３）に導電的に接続されている
ことを特徴とする装置（１）。
【請求項１０】
前記共通の磁心（１０）の周囲に配置され、前記インバータ（４、５）の、同じ位相のための前記出力（６、７）がこの位相のための前記位相接続部（３）に接続される間に介在する前記インダクタの前記インダクタコイル（８、９）が、この位相のための前記位相接続部（３）のラインフィルタインダクタ（１４）を実現することを特徴とする、請求項９に記載の装置（１）。
【請求項１１】
前記ＡＣグリッド（２）が３つの位相を含むことを特徴とする、請求項９または１０に記載の装置（１）。
【請求項１２】
前記インバータ（４、５）が同期するようにクロック制御されることを特徴とする、請求項９〜１１のいずれか１項に記載の装置（１）。
【発明の詳細な説明】
【技術分野】
【０００１】
本発明は、特許請求項１の前文に記載のインダクタデバイスと、このようなインダクタデバイスを含み、電流を少なくとも１つのＤＣ供給源からＡＣグリッドへと複数のインバータを介して供給できるようにする装置に関する。
【背景技術】
【０００２】
特に、少なくとも１つのＤＣ供給源からＡＣグリッドへと供給されるべき高圧直流電流または大きさの異なる直流電流が存在する場合、１つのみのインバータではなく、並列に電気接続され、個別にオフにできる複数のインバータを使って直流を交流に変換することにより、前記交流電流をＡＣグリッドに供給することが有利である。この場合、各インバータはＡＣグリッドの各位相につき１つの出力を有し、各種のインバータの、ＡＣグリッドの同じ位相に割り当てられた出力は、インダクタを介して位相接続部に導電的に接続される。
【０００３】
ＤＣ供給源は例えば光電発電機であってもよく、その直流電流が、並列に電気接続されたインバータによって３相交流電流に変換される。３つの位相に対応して、装置は３つの位相接続部を含む。
【０００４】
特許文献１は、複数のインバータを並列に接続することによって電流を少なくとも１つのＤＣ供給源からＡＣグリッドに供給する方法を開示している。この場合、インバータはＡＣグリッドの各位相につき１つの出力を有し、異なるインバータの、交流電流の１つの位相に属する出力が、減結合インダクタを介して、交流電流の、それに対応する位相のための位相接続部に接続される。インバータ間で、前記インバータのスイッチング応答が異なる場合に発生する可能性のある漏れ電流を最小限にするために、それらの間で漏れ電流が発生する２つのインバータストリングの一方に対する電位制御命令が一時的に反転される。この目的のために、２つのインバータストリングから流れる電流が比較器を使って比較され、それによって、限界値を超えた時に電位制御命令の反転がトリガされる。この反転が再び取り消されるのは、漏れ電流が再度限界値を下回った時のみである。
【０００５】
従来技術では、減結合インダクタを介して複数のインバータが接続されている共通の位相接続部と、ＡＣグリッドの、それに関連する位相との間にラインフィルタインダクタが設置される。
【０００６】
特許文献２は、直流電流を多相交流電流に変換するための構成を開示しており、この構成は複数のインバータを有する。インバータの各々は、交流電流の位相の各々につき１つの出力を有し、複数のインバータの、同じ位相に割り当てられた出力は各々、位相接続部に接続される。インバータ間の漏れ電流を抑制するために、磁心の周囲のインダクタコイルを含む第一のインダクタが各出力と中間地点の間に設置される。別のインバータの、同じ位相に割り当てられた第一のインダクタのインダクタコイルと同じ磁心の周囲のインダクタコイルを含む第二のインダクタが、この中間地点と、それに関連する位相接続部の間に設置される。各インバータの、異なる位相に割り当てられた第一のインダクタのインダクタコイルが配置されたコアは相互に電磁結合されており、すなわち、ＥＥコアの平行な腕部をなす。
【０００７】
特許文献３は、並列に電気接続された複数のインバータを含むインバータシステムを開示しており、インバータは、負荷への交流電流出力の各位相につき１つの出力を有する。これらの出力のために誘導結合ユニットが設置され、その中で、すべてのインバータの１つの位相の電流がインダクタによって結合され、すなわち、インバータの、同じ位相に割り当てられたインダクタが共通の磁心の周囲に配置される。結合ユニットはディファレンシャルモードインダクタとして動作し、それゆえ、循環電流だけを減衰させる。具体的には、インバータの、同じ位相のための出力に割り当てられたインダクタは、１つのコアの平行な腕部に配置される。
【０００８】
特許文献４は、並列に接続された２つのフルブリッジ回路を含むインバータ装置を開示している。出力交流電流のためのフィルタインダクタが各フルブリッジ回路の２本の出力線に配置される。この場合、フィルタインダクタは電磁結合されて、２つのフルブリッジ回路の、装置の同じ出力に繋がるこれら２本の線にダブルインダクタが形成される。このダブルインダクタは、共通のコアの周囲の２つのコイルを含み、一方のコイル端が装置のＡＣ出力に直接、または別のフィルタ要素を介して接続され、他方のコイル端が２つのフルブリッジ回路の出力の１つに接続される。
【０００９】
特許文献５は、鉄心を有するコイルの場合の無負荷電流を補償する装置を開示している。この場合、相互に絶縁された複数の金属条材がコイルコアの周囲に巻かれ、これらが全体として、高い固有キャパシタンスを有するコイルを表す。金属条材は、一次および二次コイルに加えてコイルコアの周囲に巻かれる。各金属条材の内側の端は、隣接する金属条材の外側の端にＺ形コンダクタによって接続され、その結果、金属条材が直列に接続される。しかしながら、最初の金属条材の外側の端と最後の金属条材の内側の端は接続されていないままである。
【先行技術文献】
【特許文献】
【００１０】
【特許文献１】独国特許発明第４１  １１  ７３４  Ｃ１号明細書
【特許文献２】米国特許出願公開第２０１０／０１６５６７８  Ａ１号明細書
【特許文献３】独国特許出願公開第１０  ２００７  ０６３  ４３４  Ａ１号明細書
【特許文献４】欧州特許出願公開第２  ２３７  ４０４  Ａ１号明細書
【特許文献５】独国特許出願公開第２９３  ７５８  Ａ号明細書
【発明の概要】
【発明が解決しようとする課題】
【００１１】
本発明が解決しようとする課題は、その製造の複雑さの点で最適化されたインダクタデバイスと、このようなインダクタデバイスを含み、電流を少なくとも１つのＤＣ供給源からＡＣグリッドに複数のインバータを介して供給できるようにする装置を提供することである。
【課題を解決するための手段】
【００１２】
本発明によれば、本発明が解決しようとする課題は、特許請求の範囲の独立項１の特徴を有するインダクタによって解決される。電流を少なくとも１つのＤＣ供給源からＡＣグリッドに複数のインバータを介して供給できるようにする、本発明による装置は、特許請求項９において定義されている。本発明による他の構成は、従属項に記載されている。
【００１３】
本発明は、複数のインダクタコイルを含むインダクタデバイスに関し、複数のインタクタコイルは、共通の磁心の周囲に配置され、相互に平行に、インダクタコイルの一方の端において共通の連結部に導電的に接続される。インダクタコイルは、共通の磁心の周囲に配置され、インダクタコイルの共通の連結部を含む単体のコイルフォームによって実現され、インダクタコイルはそれらの共通の連結部と共通の磁心の周囲に巻かれる。
【００１４】
インダクタデバイスに関する特許請求項において、第一、第二、または第三のインダクタコイル、共通の磁心、または共通の連結部と記載されている時、これは、いかなる優先順位があることも意味せず、このように指定された部品間の区別をつけるためだけの役割を果たす。
【００１５】
さらに、本発明は、本発明によるインダクタデバイスを含む、電流を少なくとも１つのＤＣ供給源からＡＣグリッドに供給できるようにする装置に関する。本発明による装置は、並列に電気接続された複数のインバータと、ＡＣグリッドの各位相のための位相接続部と、を含む。インバータの各々はＡＣグリッドの各位相につき１つの出力を含み、この出力は同じ位相のための位相接続部に、インダクタコイルを有するインダクタを介して導電的に接続される。インバータの同じ位相のための出力がこの位相のための位相接続部に接続される間に介在するインダクタのインダクタコイルはすべて、共通の磁心の周囲に配置される。
【００１６】
インバータの、同じ位相のための出力に割り当てられたインダクタのインダクタコイルを共通の磁心の周囲に配置することによって、これらの出力間に電気接続が生じるが、インダクタの電磁結合によって実現される電気減結合もあり、それによって異なるインバータの出力間の漏れ電流の生成が最小化される。２つのインバータの、同じ位相接続部に割り当てられた２つの出力間に、例えばインバータのスイッチング応答の違いの結果として生じうる電圧差が存在する時に、それに関係するインダクタの電磁結合によって、それらのインダクタンスおよびそれらのカウンタインダクタンスの両方が、電圧差から生じる漏れ電流に対抗する。その結果、２つのインバータ間の漏れ電流には、電磁結合がない場合と比較して、より小さい寸法のインダクタ、すなわちインバータ間のインダクタンスがより低く、それに対応して物理的大きさがより小さいインダクタで対抗することが可能であり、したがって、それらの相互インダクタンスによるインダクタのさらなる影響は存在しない。
【００１７】
本発明による装置の有利な実施形態において、同じ位相のための出力に割り当てられ、そのインダクタコイルが共通の磁心の周囲に同時に配置されたインダクタは、それに関連する位相接続部のためのラインフィルタインダクタを実現する。このラインフィルタインダクタに加えて、別のラインフィルタインダクタを各位相接続部に割り当ててもよい。しかしながら、この装置の、特に小型で、したがって好ましい実施形態では、位相接続部はこのような別のラインフィルタインダクタを持たない。
【００１８】
同じ位相のための出力に割り当てられ、それに対応して共通の磁心の周囲に配置されたインダクタコイルは、さらに共通の連結部を含む単体のコイルフォームによって実現され、それを通じてインダクタコイルがそれに関連する位相接続部に接続される。
【００１９】
この目的のために、コイルフォームは、個々のインダクタコイルと共通の連結部のための別々の金属条材から作製してもよく、これらの別々の金属条材を接続して、単体のコイルフォームを実現する。例えば、インダクタコイルのための金属条材をまず、相互に離間させて、相互に平行に、共通の連結部のための他の金属条材に対しては横方向に配置し、その後、共通の連結部に導電的に接続してから、これらを巻き回してコイルフォームを形成する。接続はこの場合、所望に応じて構成してもよい。例えば、インダクタコイルのための金属条材を、共通の連結部の金属条材に溶接または圧着してもよい。異なるインダクタコイル間、および／または１つのインダクタコイル内に発生する電気接触と、したがって短絡回路を防止するために、金属条材はこれに加えて、絶縁材料でコーティングしてもよく、個々のインダクタコイルをインバータの出力に接続するための、および共通の連結部を位相接続部に接続するための接続領域だけをコーティングしないままにして、電気接触を提供してもよい。
【００２０】
本発明による装置の具体的な実施形態において、インバータの、同じ位相に割り当てられた出力でのインダクタのためのコイルフォームは、スロット入り金属シートからなり、このスロットは金属シートの一方の端からその他方の端のわずかに手前まで延び、その結果、金属シートの一方の端から始まって、インダクタコイルのための別々の金属条材が形成されるが、前記インダクタコイルは他方の端において、共通の連結部を実現する横方向に延びる金属条材により連結されたままである。スロットは、金属シート内に実質的にどのような所望の方法で取り入れてもよく、例えば、これらは金属シートにカットまたはパンチされてもよい。スロットにより、金属シートは櫛型の形状か、長方形が連続した形状である。スロット入り金属シートから作製されたコイルフォームを用いた場合でも、インダクタコイルのための金属条材は、好ましい実施形態において、相互に電気的に絶縁される。
【００２１】
インバータの、同じ位相に割り当てられる出力でのインダクタのためのコイルフォームのインダクタコイルは、インダクタコイルの共通の連結部がコイルの内側となるように巻かれる。インダクタコイルを個々のインバータの出力に接続するための外側接続部には、特に容易にアクセスでき、内側の共通の連結部であっても、それが軸方向に、すなわちコアに平行に通過させられるという点で、容易に接触できる。
【００２２】
一般に、個々のインダクタコイルは共通のコアの周囲に螺旋形状に巻き回され、その結果、これらは相互に平行に延びる平面内に配置され、その各々がコアの主要伸展方向に対して垂直な向きであり、相互に離間される。それゆえ、インダクタコイルは物理的に分離され、したがって、その共通の連結部まで相互に容易に絶縁できる。
【００２３】
同じ位相接続部に割り当てられたインダクタが巻かれる磁心は分離していてもよい。しかしながら、有利な実施形態において、これらは電磁結合される。例えば、磁心は磁性本体の平行な腕部であってもよい。
【００２４】
ＤＣ供給源から供給される直流電流から交流電流への変換は原則として、どのような所望の方法で行われてもよく、インバータは原則として、この目的のためのどのような所望の構成を有していてもよい。例えば、交流電流の電流波形はパルス幅変調に基づいていてもよい。インバータのクロック制御はこの場合、各インバータについて、他のインバータとは独立して行ってもよい。本発明による装置の好ましい実施形態において、インバータ、すなわちそのインバータブリッジのスイッチは同時にクロック制御され、それは、この場合、減衰させるべき漏れ電流が、異なるクロック制御とそれに起因するクロック位相シフトによってではなく、インバータのスイッチング特性の違いによってのみ引き起こされるからである。後になってまだ減衰させる必要のある漏れ電流がこのようにして、効率的に制限される。この目的のために、本発明による装置は別の制御装置を有していてもよく、これはインバータのインバータブリッジのスイッチを同時に作動させるか、または個々のインバータの制御手段を同期させる。
【００２５】
特に、本発明による装置は、電流を少なくとも１つのＤＣ供給源から３相ＡＣグリッドに供給するために提供されてもよい。ＤＣ供給源は特に、光電発電機であってもよい。
【００２６】
本発明の他の有利な発展型は、特許請求項、説明文、図面から考案される。説明文に記載された特徴や複数の特徴の組み合わせの利点は単に例にすぎず、代替的または累積的に利用されてもよく、必ずしもそれらの利点が本発明による実施形態によって実現されなくてはならないわけではない。以下の説明は、これが付属の特許請求の範囲の主旨を変更することなく、出願当初の書類と特許の開示された内容に関して適用されるが、図面、特にそこに示された複数の構成部品の相互に関する相対的な配置と動作的接続から、別の特徴も見出されることもある。特許請求の範囲の中の選択された後方参照以外の本発明の異なる実施形態の特徴または異なる特許請求項の特徴の組み合わせも同様に可能であり、本願によって提案される。これはまた、別の図面に示された、またはそれに関する説明の中で述べられた特徴にもあてはまる。これらの特徴はまた、異なる特許請求項の特徴と組み合わせてもよい。特許請求項に列挙された特徴も同様に、本発明の他の実施形態のためには、なくてもよい。
【００２７】
特許請求項と説明文に記載された特徴は、その数に関して、「少なくとも」という形容詞が明確に使用されていなくても、正確にその数または明記された数より大きい数が提供されていると理解するべきである。したがって、説明文が例えば１つの要素について述べている場合、これは、正確に１つの要素、または２つの要素、またはそれ以上の要素が提供されることを意味すると理解するべきである。これに対して、ある特徴の正確な数のみを特定しようとする場合は、「正確に」という形容詞がそれぞれの特徴の前に使用される。これらの特徴は、他の特徴によって補足されてもよく、または各々の生成物がそこから成り立つ唯一の特徴であってもよい。
【００２８】
特許請求項に含まれる参照記号は、特許請求項で保護される主題の範囲の限定を示していない。これらは単に、特許請求項をより理解しやすくする役割を果たす。
【００２９】
本発明を、図面に示された好ましい例示的実施形態を参照しながら、以下により詳しく説明する。
【図面の簡単な説明】
【００３０】
【図１】電流を少なくとも１つのＤＣ供給源からＡＣグリッドに複数のインバータを介して供給できる、本発明による装置の概略図を示す。
【図２】そこから本発明による装置の共通のコアの周囲に配置される複数のインダクタコイルを形成できる、巻かれていない状態の単体のコイルフォームを示す。
【図３】他の実施形態における、そこから本発明による装置の共通のコアの周囲に配置される複数のインダクタコイルを形成できる、巻かれていない状態の単体のコイルフォームを示す。
【図４】コアに巻き回された図３による単体のコイルフォームの、それによって形成されたインダクタワイヤの１つを見る方向の断面を示す。
【発明を実施するための形態】
【００３１】
図１は、電流を少なくとも１つのＤＣ供給源（図示せず）からＡＣグリッド２に供給できる、本発明による装置１を示す。この場合、装置１は３相ＡＣグリッド２の各位相のための位相接続部３ａ、３ｂ、３ｃを有する。
【００３２】
図１に示される実施形態において、本発明による装置１は、並列に電気接続された２つのインバータ４、５を有し、インバータ４、５の各々は、入力側で電流源に接続され、３相ＡＣグリッド２の各位相のための出力６ａ、６ｂ、６ｃ、７ａ、７ｂ、７ｃを有する。各出力６ａ〜６ｃ、７ａ〜７ｃは３つの位相接続部３ａ〜３ｃの１つに、インダクタコイル８ａ〜８ｃ、９ａ〜９ｃを有するインダクタを介して導電的に接続される。この場合、それぞれ出力６ａと７ａ、６ｂと７ｂ、６ｃと７ｃが、それぞれ同じ位相接続部３ａ、３ｂ、３ｃに接続される間に介在するインダクタコイル８ａと９ａ、８ｂと９ｂ、８ｃと９ｃは各々、それぞれ共通の磁心１０ａ、１０ｂ、１０ｃの周囲に、それぞれコイルフォーム１５ａ、１５ｂ、１５ｃとして配置される。
【００３３】
図１に示される実施形態において、磁心１０ａ、１０ｂ、１０ｃは、一体の磁性本体の腕部１１ａ、１１ｂ、１１ｃであり、これは３相変圧器１２と同じ形状を有する。各々が共通の磁心１０ａ、１０ｂ、１０ｃの周囲に配置されている３つのインダクタコイル８ａと９ａ、８ｂと９ｂ、８ｃと９ｃは、それぞれ共通の連結部１３ａ、１３ｂ、１３ｃを有し、これは位相接続部３ａ、３ｂ、３ｃの１つに導電的に接続されている。インダクタコイル８ａ〜８ｃ、９ａ〜９ｃは、それらの磁心１０ａ〜１０ｃに同じ方向に巻き回されている。
【００３４】
インダクタコイル８ａと９ａ、８ｂと９ｂ、８ｃと９ｃは、それぞれ出力６ａと７ａ、６ｂと７ｂ、６ｃと７ｃに割り当てられ、各々が共通の磁心１０ａ〜１０ｃの周囲に配置されているという点で、これらは電磁結合されている。この構成によって、出力６ａ〜６ｃ、７ａ〜７ｃ間に、例えばインバータ４、５のスイッチング応答の違いによって生じる漏れ電流は最小化される可能性があり、それによってインバータ４、５の出力６ａと７ａ、６ｂと７ｂ、６ｃと７ｃが減結合される。
【００３５】
例えば、インバータ４の出力６ａが、スイッチング応答の違いから、インバータ５の、ＡＣグリッド２の同じ位相のための出力７ａより高い電位にある時、これは原則として、インバータ４の出力６ａとインバータ５の出力７ａの間に漏れ電流を発生させる原因となりうる。しかしながら、これらに関係するインダクタコイル８ａ、９ａが同じ磁心１０ａの周囲に配置されているため、インダクタコイル８ａ、９ａのインダクタンスと電磁結合されたインダクタコイル８ａ、９ａの相互インダクタンスの両方がこのような漏れ電流に対抗する。
【００３６】
それぞれ共通の磁心１０ａ、１０ｂ、１０ｃに巻き回されたインダクタコイル８ａと９ａ、８ｂと９ｂ、８ｃと９ｃは、図１に示されている本発明による装置１の実施形態では、位相接続部３ａ、３ｂ、３ｃのラインフィルタインダクタ１４ａ、１４ｂ、１４ｃと同時に動作する。これらのラインフィルタインダクタ１４ａ〜１４ｃによって、インバータ４、５の出力６ａ〜６ｃ、７ａ〜７ｃにおける電流出力がフィルタにかけられ、それぞれのインバータにおける電流整形に使用されるパルス幅変調から生じるスイッチングリプルが抑制されうる。
【００３７】
図２は、巻かれていないコイルフォーム１５を示し、そこから本発明による装置１のインダクタのインダクタコイルを形成できる。図２に示されているコイルフォーム１５の実施形態では、前記コイルフォームは４つのインダクタコイルを実現するため、すなわち４つのインバータの並列回路用と意図されている。この目的のために、コイルフォーム１５は４つの金属条材１６ａ〜１６ｄを有し、これらはインダクタのためのインダクタコイルを実現するように螺旋形状に巻かれる。相互に離間され、相互に平行に延びる金属条材１６ａ〜１６ｄは、接続部１７を介して、それらを横切るように延びる別の金属条材１８に導電的に接続され、金属条材１８は、金属条材１６ａ〜１６ｄから形成されるインダクタのための共通の連結部１３を実現し、それを介して前記インダクタが図１に示される位相接続部３にまとめて接続される。
【００３８】
インダクタのためのインダクタコイル８、９は、図２に示されるコイルフォーム１５によって、金属条材１６ａ〜１６ｄが金属条材１８から巻き始められて、共通の連結部１３を実現する金属条材１８がコイルフォームの内側になるように実現される。その結果、インバータの出力を個々のインダクタコイルに接続することが、特に容易に可能となる。コイルの巻き上げは、金属条材１６ａ〜１６ｄが磁心の周囲に巻かれるように行われてもよい。コイルフォーム１５はまた、金属条材１６ａ〜１６ｄを巻き回してインダクタコイルを形成した後で初めて、磁心に押し付けてもよい。
【００３９】
しかしながら、金属条材１６ａ〜１６ｄから形成されたインダクタコイルを相互に電気的に絶縁するために、金属条材１６ａ〜１６ｄに電気的絶縁材料をコーティングしてもよい。
【００４０】
図３も、この場合は発展型としてのコイルフォーム１５の他の実施形態を示す。このコイルフォーム１５は、スロット入り金属シート１９から形成され、相互に並べて分離された金属条材１６ａ〜１６ｄが、金属シート１９に取り入れられたスロット２０ａ〜２０ｃによって形成され、金属シート１９の一方の端で接続されている。スロット２０ａ〜２０ｃは、この端の直前まで延び、このようにして金属条材１６ａ〜１６ｄから形成されるインダクタコイルのための共通の連結部１３が形成される。それ以外は、図３に示されるコイルフォーム１５の実施形態は、特にインダクタコイルの形成の可能性に関して、図２に示されるものに対応している。
【００４１】
図４は、巻き回されたコイルフォーム１５を示しており、図３に示されるように相互に平行に延びる金属条材１６ａ〜１６ｄを持つスロット入り金属シート１９が磁心１０の周囲に巻き回されて、本発明によるインダクタデバイスが実現されている。図４に示される断面図の中に見られるインダクタコイル８ａは、この場合、コア１０と、金属条材１８により実現される共通の連結部１３の周囲に螺旋形状に巻き回されている。共通のコア１０の周囲に配置されたインダクタコイルとの、それらの内側の端における電気接触は、共通の内側の連結部１３を介して何の問題もなく可能となる。前記インダクタコイルの外側の端は、インバータの、各々が同じ位相接続部に割り当てられた出力に、妨害し合うことなく接続できる。
【符号の説明】
【００４２】
１  装置
２  ＡＣグリッド
３  位相接続部
４  インバータ
５  インバータ
６  出力
７  出力
８  インダクタコイル
９  インダクタコイル
１０  コア
１１  腕部
１２  本体
１３  連結部
１４  フィルタインダクタ
１５  コイルフォーム
１６  金属条材
１７  接続部
１８  金属条材
１９  金属シート
２０  スロット
【図１】
2015527034.tif 000003
【図２】
2015527034.tif 000004
【図３】
2015527034.tif 000005
【図４】
2015527034.tif 000006
【国際調査報告】
2015527034.tif 000007
2015527034.tif 000008
2015527034.tif 000009
2015527034.tif 000010